(57)【要約】  本開示は、エネルギー貯蔵部及び電子機器モジュールが配置されているハウジングを有する植込み型器具であって、電極接続デバイスへのフィードスルーはハウジング上に形成され、第１の接点はエネルギー貯蔵部と電子機器モジュールの間に電気接続を形成し、第２の接点は電子機器モジュールとフィードスルーの間に電気接続を形成し、第１の接点及び第２の接点は同じ接触方向に向けられる、植込み型器具に関する。植込み型器具を組み立てる方法も開示される。
2021532895.tif 000002
【特許請求の範囲】
【請求項１】
エネルギー貯蔵部及び電子機器モジュールが配置されたハウジングを有する植込み型器具であって、電極接続デバイスへのフィードスルーが前記ハウジング上に形成され、第１の接点が前記エネルギー貯蔵部と前記電子機器モジュールの間に電気接続を形成し、第２の接点が前記電子機器モジュールと前記フィードスルーの間に電気接続を形成し、また前記第１の接点及び前記第２の接点は同じ接触方向に向けられている、植込み型器具。
【請求項２】
前記エネルギー貯蔵部、前記電子機器モジュール、及び前記フィードスルーは、スタック方向に上下に配置され、前記スタック方向は前記接触方向に一致している、請求項１に記載の植込み型器具。
【請求項３】
前記第１の接点は、前記エネルギー貯蔵部上に配置された第１の平面接触要素と、前記電子機器モジュール上に配置された第２の平面接触要素との間に形成され、前記接触方向は、前記第１の平面接触要素と前記第２の平面接触要素との間の接触エリアの法線である、請求項１又は２に記載の植込み型器具。
【請求項４】
前記第２の接点は、前記電子機器モジュール上に配置された第３の平面接触要素と、前記フィードスルー上に配置された第４の平面接触要素との間に形成され、前記接触方向は、前記第３の平面接触要素と前記第４の平面接触要素との間の接触エリアの法線である、請求項１から３までの一項に記載の植込み型器具。
【請求項５】
前記第１の接点は、第１のピン要素と第１のピン・ソケットとの間に形成され、前記第１のピン要素の長手方向延長線が、前記接触方向を決定する、請求項１、２、又は４に記載の植込み型器具。
【請求項６】
前記第２の接点は、第２のピン要素と第２のピン・ソケットとの間に形成され、前記第２のピン要素の長手方向延長線が、前記接触方向を定める、請求項１から３まで、又は５に記載の植込み型器具。
【請求項７】
前記電子機器モジュールは、前記エネルギー貯蔵部の前側に配置される、請求項１から６までの一項に記載の植込み型器具。
【請求項８】
前記電子機器モジュールは、前記エネルギー貯蔵部の前記前側に平行に又は直角に配置される、請求項７に記載の植込み型器具。
【請求項９】
前記電子機器モジュールは、支持フレーム内に配置される、請求項１から８までの一項に記載の植込み型器具。
【請求項１０】
前記支持フレームは、前記エネルギー貯蔵部が前記支持フレームによって固定されるように前記ハウジングに配置され、且つ／又は前記支持フレームは、前記支持フレームが前記エネルギー貯蔵部と前記電子機器モジュールの間の相対移動を減少させる又は防ぐように設計され且つ前記ハウジングに配置される、請求項９に記載の植込み型器具。
【請求項１１】
前記ハウジングは、２部品に形成され、第１のハウジング・シェルと第２のハウジング・シェルとを有している、請求項１から１０までの一項に記載の植込み型器具。
【請求項１２】
前記エネルギー貯蔵部は、前記第１のハウジング・シェルと前記第２のハウジング・シェルの間に固定される、請求項１１に記載の植込み型器具。
【請求項１３】
前記エネルギー貯蔵部は、前記ハウジングに固着される、請求項１から１２までの一項に記載の植込み型器具。
【請求項１４】
クランプ部が前記ハウジング内に配置され、前記クランプ部は、前記ハウジングに対して前記エネルギー貯蔵部を固定するように設計されている、請求項１から１３までの一項に記載の植込み型器具。
【請求項１５】
植込み型器具を組み立てる方法であって、
−  エネルギー貯蔵部を提供するステップと、
−  電子機器モジュールを提供するステップと、
−  フィードスルーを提供するステップと、
−  前記エネルギー貯蔵部上に前記電子機器モジュールを配置するステップと、
−  前記電子機器モジュール上に前記フィードスルーを配置するステップと
を含み、
前記フィードスルー、前記電子機器モジュール、及び前記エネルギー貯蔵部は、共通の組立方向に沿って重なり合って配置される、方法。
【発明の詳細な説明】
【技術分野】
【０００１】
本開示は、植込み型器具（インプラント）、及び植込み型器具を組み立てる方法に関する。
【背景技術】
【０００２】
ペースメーカ又は除細動器などの植込み型器具は、とりわけ、チップを備えた電子機器モジュールと、電力供給用のバッテリと、１つ又は複数の電極を接続することができるヘッダへのフィードスルーとを含む。電子機器モジュール、バッテリ、及びフィードスルー間の現在知られている接触確立手段は、通常、ハンダ上（ｓｏｌｄｅｒｅｄ−ｏｎ）又は溶接上（ｗｅｌｄｅｄ−ｏｎ）の接触確立ストリップ（ｃｏｎｔａｃｔ−ｅｓｔａｂｌｉｓｈｉｎｇ  ｓｔｒｉｐ）を用いて実現される。代替実施例では、曲がったバッテリ・ピンが、プラグ・イン接触確立手段内に接続される。
【０００３】
図１は、先行技術により知られている植込み型器具を示す。植込み型器具は、バッテリ５１及び電子機器モジュール５２が配置されるハウジング５０を有する。電極接続デバイス（ヘッダ）５３は、ハウジング５０上に配置される。第１の電気接点５４が、電子機器モジュール５２とバッテリ５１の間に形成される。第２の電気接点５６が、電子機器モジュール５２とフィードスルー５５の間に形成される。フィードスルー５５は、ハウジング５０から外へ通じ、電子機器モジュール５２と電極接続デバイス５３の間に電気接続を与える。植込み型器具の要素（電極接続デバイス５３、フィードスルー５５、バッテリ５１、及び電子機器モジュール５２）は、互いの隣に平らに並んでいる。これにより、９０°の角度を通過する要素（具体的には、第１の電気接点５４及び第２の電気接点５６）の間の各電気接続という結果になり、したがって、複雑で費用のかかる構築プロセスを必要とする。図１に示された植込み型器具の製造は、複雑な製造技術を必要とし、自動化が難しい。
【０００４】
米国特許第９，７３７，７２１（Ｂ２）号の文献は、脊髄を刺激するための植込み型器具を開示する。この植込み型器具は、バッテリ及び電子機器モジュールが配置されるハウジングを有する。バッテリ上に配置された支持フレームは、電子機器モジュールと通信コイルを収容する。電子機器モジュールは、バッテリに直角にここに配置される。
【０００５】
米国特許７，６４７，１１０（Ｂ２）号の文献は、モジュール方式の植込み型器具を記載する。様々なコネクタ・モジュール、電子機器モジュール、及びバッテリ・モジュールを組み合わせて、様々な機能を実現することができる。
【０００６】
欧州特許第２，４９３，５５７（Ｂ１）号の文献は、植込み型器具のためのモジュール方式のヘッダを開示する。ヘッダは、互いに接続されるいくつかのモジュールから構築される。ヘッダの長さは、モジュールの個数によって調整することができる。
【０００７】
米国特許出願公開第２０１８／００５４０３４（Ａ１）号の文献は、使用するモジュール数によって長さを調整することができるモジュール方式のコネクタを開示する。
【０００８】
米国特許第９，７１３，７１７（Ｂ２）号の文献は、基板上に形成される電子機器モジュールを有する植込み型器具を開示する。フィルタ・コンデンサ又はブロッキング・コンデンサなどの電子機器モジュールのいくつかの構成部品が、基板に埋め込まれる。
【先行技術文献】
【特許文献】
【０００９】
【特許文献１】米国特許第９，７３７，７２１（Ｂ２）号
【特許文献２】米国特許７，６４７，１１０（Ｂ２）号
【特許文献３】欧州特許第２，４９３，５５７（Ｂ１）号
【特許文献４】米国特許出願公開第２０１８／００５４０３４（Ａ１）号
【特許文献５】米国特許第９，７１３，７１７（Ｂ２）号
【発明の概要】
【発明が解決しようとする課題】
【００１０】
目的は、植込み型器具のための改善された技術を特定することである。具体的には、能動的医療用植込み型器具の製造が簡略化される。
【課題を解決するための手段】
【００１１】
請求項１に記載に植込み型器具、及び請求項１５に記載の方法が開示される。さらなる実施例は、従属請求項の主題である。
【００１２】
一態様によれば、ハウジングを有する植込み型器具が提供される。エネルギー貯蔵部及び電子機器モジュールが、ハウジング内に配置される。電極接続デバイスへのフィードスルーは、ハウジング上に形成される。第１の接点は、エネルギー貯蔵部と電子機器モジュールの間に電気接続を形成する。第２の接点は、電子機器モジュールとフィードスルーの間に電気接続を形成する。第１の接点及び第２の接点は、同じ接触方向に向けられる。
【００１３】
植込み型器具は、能動的医療用植込み型器具、例えば、植込み型ペースメーカ、又は植込み型心臓除細動器（ＩＣＤ：Ｉｍｐｌａｎｔａｂｌｅ  Ｃａｒｄｉｏｖｅｒｔｅｒ−Ｄｅｆｉｂｒｉｌｌａｔｏｒ）であり得る。
【００１４】
電極接続デバイスは、接続ヘッド又はヘッダとも呼ばれ得る。電極接続デバイスは、１つ又は複数の電極接続を受け入れるように設計され得る。
【００１５】
電子機器モジュールは、植込み型器具、例えば、プロセッサ及びメモリの動作を確実にする構成部品を有してもよい。
【００１６】
エネルギー貯蔵部は、一次セル、二次セル、コンデンサ、又は前述した要素の任意の組合せを有してもよい。エネルギー貯蔵部は、電子機器モジュールの構成部品に電気エネルギーを供給するように設計され得る。さらに、エネルギー貯蔵部は、除細動（ショック）のために電気エネルギーを与えるように設計されてもよい。エネルギー貯蔵部は、例えば、電気絶縁材料（例えば、ＰＥＥＫ（ポリエーテル・エーテル・ケトン）などの熱可塑性物質）製のカバーによって、電気絶縁材料製のしっかりと付着するプラスチック材料コーティングによって、１部品又は多部品の絶縁膜によって、電気絶縁材料（例えば、プラスチック）製のコーティングによって、或いは絶縁膜をエネルギー貯蔵部に接着剤で付けることによって、ハウジングから電気的に絶縁されてもよい。
【００１７】
フィードスルーは、電極接続デバイスと電子機器モジュールの間に電気接続を与えることができる。フィードスルーは、多極、例えば三極、四極、又は五極であってもよい。
【００１８】
ハウジングは、生体適合材料を有してよく、又は生体適合材料（例えば、チタン）で作製されてもよい。
【００１９】
第１の接点の好ましい方向が第２の接点の好ましい方向と一致する、すなわち、接点が同じ方向を指す場合に、等しい接触方向が与えられる。接点の好ましい方向は、接点の幾何学的形状からもたらされ得る。ピン接点の場合には、好ましい方向は、ピンの長手方向の延長である。平面接触の場合には、好ましい方向は、表面の法線である。
【００２０】
エネルギー貯蔵部、電子機器モジュール、及びフィードスルーは、スタック方向に上下に配置され、スタック方向は、接触方向に対応することが提供され得る。エネルギー貯蔵部、電子機器モジュール、及びフィードスルーは、単一の組立方向に組み立てられる。要素を重なり合うようにスタックすることによって、植込み型器具の組立てを簡略化し、製造プロセスの自動化を容易にする。さらに、電極接続デバイスは、スタック方向にハウジング上に配置されてもよい。
【００２１】
第１の接点は、エネルギー貯蔵部上に配置された第１の平面接触要素（ｆｉｒｓｔ  ｐｌａｎａｒ  ｃｏｎｔａｃｔ  ｅｌｅｍｅｎｔ）と電子機器モジュール上に配置された第２の平面接触要素との間に形成することができ、接触方向は、第１の平面接触要素と第２の平面接触要素の間の接触エリアの法線である。第１の平面接触要素及び第２の平面接触要素は、同じサイズであってもよい。第１の平面接触要素及び第２の平面接触要素は、同じ形状、例えば、正方形、長方形、丸形、又は楕円形を有してもよい。第１の平面接触要素及び第２の平面接触要素は、対称的であってもよい。
【００２２】
第２の接点は、電子機器モジュール上に配置された第３の平面接触要素とフィードスルー上に配置された第４の平面接触要素と間に形成することができ、接触方向は、第３の平面接触要素と第４の平面接触要素の間の接触エリアの法線である。第３の平面接触要素及び第４の平面接触要素は、同じサイズであってもよい。第１の平面接触要素及び第２の平面接触要素は、同じ形状、例えば、正方形、長方形、丸形、又は楕円形を有してもよい。第３の平面接触要素及び第４の平面接触要素は、対称的であってもよい。
【００２３】
一実施例では、第１の接点は、第１のピン要素と第１のピン・ソケットの間に形成され、第１のピン要素の長手方向の延長（長手方向延長線）は、接触方向を決定することが与えられ得る。第１のピン要素は、エネルギー貯蔵部上に配置されてもよい。この場合には、第１のピン・ソケットは、電子機器モジュール上に配置される。別の変形例では、第１のピン要素は、電子機器モジュール上に配置されてもよく、第１のピン・ソケットは、エネルギー貯蔵部上に配置される。第１のピン要素は、互いに平行に向けられた複数のピンを有してもよい。第１のピン要素が、例えばエネルギー貯蔵部上に配置された一対のピンとして（例えば、エネルギー貯蔵部の陽極及び陰極として）形成されることが与えられてもよい。この場合には、第１のピン・ソケットは、例えば電子機器モジュール上に配置され得る一対のピン・ソケットとして形成される。
【００２４】
さらに、第２の接点が第２のピン要素と第２のピン・ソケットの間に形成され、第２のピン要素の長手方向の延長が接触方向を決定することが与えられてもよい。第２のピン要素は、フィードスルー上に配置されてもよく、第２のピン・ソケットは、電子機器モジュール上に配置される。代替として、第２のピン要素は、電子機器モジュール上に配置されてもよく、第２のピン・ソケットは、フィードスルー上に配置される。第２のピン要素は、互いに平行に向けられた複数のピンを有してもよい。例えば、複数のピンは、フィードスルー（多極フィードスルー）上に配置されてもよい。この場合には、第２のピン・ソケットは、例えば電子機器モジュール上に配置された複数のピン・ソケットを有する。
【００２５】
第１のピン要素及び第２のピン要素は、互いに平行に配置されてもよい。
【００２６】
第１の接点及び／又は第２の接点は、プラグ・イン接触、クランプ接触、又は溶接接触として設計されてもよい。
【００２７】
電子機器モジュールは、エネルギー貯蔵部の前側に配置されてもよい。前側は、電極接続デバイスに面するエネルギー貯蔵部の側部である。したがって、電子機器モジュールは、電極接続デバイスとエネルギー貯蔵部の間に配置される。
【００２８】
電子機器モジュールは、エネルギー貯蔵部の前側に平行又は直角に配置することができる。電子機器モジュールは、構成部品を配置する平面基板を有してもよい。平面基板の場合には、基板の高さは、基板の幅及び長さよりもずっと小さい。基板は、プリント回路基板の形態にあってもよい。平面基板は、エネルギー貯蔵部の前側に平行又は直角に配置されてもよい。具体的には、電子機器モジュール／基板の平行配置は、空間を節約する組立体を可能にする。この場合には、電子機器モジュールは、エネルギー貯蔵部の前側に位置する。
【００２９】
電子機器モジュールが支持フレーム内に配置されることが与えられてもよい。支持フレームは、エネルギー貯蔵部が支持フレームによって固定されるようにハウジングに配置されてもよい。支持フレームは、エネルギー貯蔵部が支持フレームによってハウジングに押し付けられ、それによって固定されるようにエネルギー貯蔵部上に圧入で配置され得る。代替として、又はさらに、支持フレームは、支持フレームがエネルギー貯蔵部と電子機器モジュールの間の相対移動を減少させる又は防ぐように設計され、ハウジングに配置されることが与えられてもよい。具体的には、電子機器モジュールとエネルギー貯蔵部の間の電気接続の損失をもたらす相対移動が防がれることになる。支持フレームは、プラスチック材料を有してもよく、又はプラスチック材料で完全に作製されてもよい。適切なプラスチック材料は、例えば、ポリブチレン・テレフタレート（ＰＢＴ：ｐｏｌｙｂｕｔｙｌｅｎｅ  ｔｅｒｅｐｈｔｈａｌａｔｅ）、ポリカーボネート（ＰＣ：ｐｏｌｙｃａｒｂｏｎａｔｅ）、又は同様のプラスチック材料である。
【００３０】
ハウジングは、２部品に形成され、第１のハウジング・シェルと第２のハウジング・シェルとを有してもよい。エネルギー貯蔵部が第１のハウジング・シェルと第２のハウジング・シェルの間に固定されることが与えられてもよい。第１のハウジング・シェル及び第２のハウジング・シェルは、対称的（例えば鏡面対称的）又は同一であってもよい。２部品のハウジングは、一体化された溶接保護（例えば、ビーディング）を有してもよい。
【００３１】
一実施例では、ハウジングは、１部品に形成されてもよい。１部品のハウジングは、基材から直接成形によって、例えば深絞り加工によって製造されてもよい。
【００３２】
ハウジングは、開口部を有してもよく、開口部を通じてエネルギー貯蔵部及び電子機器モジュールをハウジングに導入することが可能である。開口部は、ハウジングの前側（電極接続デバイスに面する側）に形成されてもよい。ハウジングが２部品にある場合、第１のハウジング・シェル及び第２のハウジング・シェルは、開口部が前側上に形成されるように互いに接続（例えば、溶接）されてもよい。開口部は、接触方向に開いていてもよい。この場合には、植込み型器具の全要素（エネルギー貯蔵部、電子機器モジュール、フィードスルー、電極接続デバイス、及びハウジング）は、ただ１つのスタック方向に組み立てられてもよい。
【００３３】
エネルギー貯蔵部は、エンクロージャに固着（ｆａｓｔｅｎ）されてもよい。例えば、自己粘着性パッドが第１のハウジング・シェル及び／又は第２のハウジング・シェルに取り付けられてもよく、ハウジング・シェルがハウジングを形成するように接続されるときに、このパッドにエネルギー貯蔵部が粘着する。エネルギー貯蔵部が粘着剤によって第１のハウジング・シェル及び／又は第２のハウジング・シェルに接着されることが与えられてもよい。固定は、第１のハウジング・シェルと第２のハウジング・シェルの間のクランプ作用によって実現することもできる。ハウジングがエネルギー貯蔵部に溶接されることを与えることもできる。
【００３４】
クランプ部は、ハウジングに配置されてもよく、クランプ部は、ハウジングに対してエネルギー貯蔵部を固定するように設計されている。クランプ部は、ハウジングの前側の反対側であるハウジングの下側に配置されてもよい。クランプ部は、固定のためにエネルギー貯蔵部を支持フレームに押し付けるように設計されてもよい。クランプ部は、ばねとして、溶接保護バンドとして、又は固体の空間を充填するプラスチック材料部品として設計されてもよい。
【００３５】
フィードスルーは、ＳＭＤ（ｓｕｒｆａｃｅ−ｍｏｕｎｔｅｄ  ｄｅｖｉｃｅ：表面実装部品）構成部品として電子機器モジュールに取り付けられてもよい。ＳＭＤ構成部品は、１つ又は複数のハンダ付け可能な接続エリアによってプリント回路基板（例えば、電子機器モジュールの基板）に直接ハンダ付けされる。言い換えれば、フィードスルーは、ＳＭＴ（ｓｕｒｆａｃｅ−ｍｏｕｎｔｉｎｇ  ｔｅｃｈｎｏｌｏｇｙ：表面実装技術）を用いて電子機器モジュール上に組み立てられる。
【００３６】
フィードスルーは、第２の基板を有することができる。フィードスルーの第２の基板、電子機器モジュール（又は電子機器モジュールの基板）、及びエネルギー貯蔵部の前側は、互いに平行に配置することができる。
【００３７】
さらなる態様によれば、植込み型器具を組み立てる方法が開示される。この方法は、エネルギー貯蔵部を用意するステップと、電子機器モジュールを用意するステップと、フィードスルーを用意するステップと、エネルギー貯蔵部上に電子機器モジュールを配置するステップと、電子機器モジュール上にフィードスルーを配置するステップとを有する。ここで、フィードスルー、電子機器モジュール、及びエネルギー貯蔵部は、共通の組立方向に沿って重なり合って配置される。具体的には、電子機器モジュールは、エネルギー貯蔵部の前側に配置されてもよい。
【００３８】
配置の順序は、重要でない。電子機器モジュールは、まずエネルギー貯蔵部上に配置され、次いでフィードスルーが電子機器モジュール上に配置されてもよい。しかしながら、フィードスルーは、まず電子機器モジュール上に配置されてもよく、次いでフィードスルーを備えたで電子機器モジュールがエネルギー貯蔵部上に配置される。
【００３９】
エネルギー貯蔵部上に電子機器モジュールを配置するとき、エネルギー貯蔵部と電子機器モジュールの間の電気接続は、第１の接点と共に形成される。電子機器モジュール上にフィードスルーを配置するとき、電子機器モジュールとフィードスルーの間の電気接続は、第２の接点と共に形成され得る。第１の接点及び第２の接点は、同じ接触方向に向けられもよい。
【００４０】
上記方法は、エネルギー貯蔵部を、電子機器モジュール及びフィードスルーと共に、ハウジングに配置するステップと、ハウジングを閉じるステップとをさらに有してもよい。
【００４１】
上記方法は、ハウジング上に電極接続デバイスを配置するステップと、電極接続デバイスをフィードスルーに接続するステップとをさらに有してもよい。
【００４２】
さらなる態様によれば、電子機器モジュール及びエネルギー貯蔵部を有する植込み型器具であって、電子機器モジュールの体積がエネルギー貯蔵部の体積の２５％未満である植込み型器具が提供される。好ましくは、電子機器モジュールの体積は、エネルギー貯蔵部の体積の２０％未満である。より好ましくは、電子機器モジュールの体積は、エネルギー貯蔵部の体積の１６％未満である。一実施例では、エネルギー貯蔵部の体積は、３．０６ｃｍ３であり、電子機器モジュールの体積は０．４６ｃｍ３である。
【００４３】
植込み型器具の要素は、長さ、幅、及び高さをそれぞれ有する３次元物体である。物体の寸法は、同じ方向に常に決定される。電子機器モジュールの長さは、電極接続デバイスの長さ及びバッテリの長さと同じ方向に決定される。電子機器モジュールの幅は、電極接続デバイスの幅及びバッテリの幅と同じ方向に決定される。電子機器モジュールの高さは、電極接続デバイスの高さ及びバッテリの高さと同じ方向に決定される。図２の左下隅には、説明のために座標系が描かれている。ｘ方向は長さに対応し、ｙ方向は幅を示し、ｚ方向は高さに対応する。
【００４４】
エネルギー貯蔵部の体積は、要素の実際の体積である。
【００４５】
電子機器モジュールの体積は、電子機器モジュールの周りの外被の体積とみなされ、外被の基部は電子機器モジュールの面積に等しく、外被の高さは電子機器モジュール上の最も高い構成部品の高さに等しい。電子機器モジュールが長方形の基部を有する場合、したがって、体積は立方形によって与えられ、立方形の基部は電子機器モジュールの基部（長さと幅の積）に等しい。立方形の高さは、電子機器モジュールの上の最も高い構成部品の高さに対応する。電子機器モジュールが平面基板として具体化される場合、構成部品は、基板の片側に配置されてもよい。この場合には、体積についての上記の定義が当てはまる。構成部品が基板の両側に配置されることも与えられ得る。この場合には、電子機器モジュールの高さは、基板のそれぞれの側の最も高い構成部品の高さの合計に対応する。
【００４６】
電子機器モジュールの長さと電子機器モジュールの幅の比は、４：１以上、好ましくは５：１以上、より好ましくは６：１以上であり得る。本実施例では、電子機器モジュールは、エネルギー貯蔵部の前側に電子機器モジュールを配置するのを容易し得る狭い設計を有する。一実施例では、電子機器モジュールは、３０ｍｍを超える長さ及び５．２ｍｍ未満の幅を有する。
【００４７】
電子機器モジュールの幅は、エネルギー貯蔵部の幅以下であることが与えられてもよい。
【００４８】
電子機器モジュールの長さは、エネルギー貯蔵部の長さ以下であり得る。
【００４９】
すでに上述したように、植込み型器具は、電極接続デバイスを有してもよく、電子機器モジュールの長さは、電極接続デバイスの長さ以下であり、及び／又は電子機器モジュールの幅は、電極接続デバイスの幅以下である。エネルギー貯蔵部の長さが電極接続デバイスの長さ以下である、及び／又はエネルギー貯蔵部の幅が電極接続デバイスの幅以下であることも与えられてよい。
【００５０】
電子機器モジュールは、複数の構成部品を配置する基板を有してもよく、基板の面積は、エネルギー貯蔵部の前側の面積以下である。
【００５１】
複数の構成部品の一部がＦ≦９０ｎｍの最小の構造サイズを有することが与えられてもよい。代替として、又はさらに、複数の構成部品の一部（又は他のもの）がＦ≦６５ｎｍ、好ましくはＦ≦５５ｎｍの最小の構造サイズを有することが与えられてもよい。電子機器モジュールの構成部品の全部が均一の構造サイズ、例えばＦ≦９０ｎｍ、Ｆ≦６５ｎｍ、又はＦ≦５５ｎｍで製造されることが与えられてもよい。電子機器モジュールの構成部品がここで述べた様々な構造サイズで製造されることも与えられてもよい。
【００５２】
複数の構成部品の少なくとも１つは、基板の第１の側に配置されもよく、複数の構成部品の少なくとも１つの他のものは、基板の第２の側に配置されてもよい。したがって、基板は、片側で又は２つの側で占められ得る。
【００５３】
一実施例では、基板の第１の側の少なくとも１つの構成部品、及び／又は基板の第２の側の少なくとも１つの他の構成部品が、ポッティング剤で封じ込められることが与えられてもよい。
【００５４】
複数の構成部品の一部が基板上にＳＭＤ要素として配置されることも与えられてもよい。例えば、構成部品は、１つ又は複数のボール・グリッド・アレイ（ＢＧＡ：Ｂａｌｌ  Ｇｒｉｄ  Ａｒｒａｙ）に、及び／又はマルチチップ・モジュール（ＭＣＭ：Ｍｕｌｔｉ  Ｃｈｉｐ  Ｍｏｄｕｌｅ）ハウジング内に、並びに／或いはベア集積回路（チップ）として配置されてもよい。基板が片側で示される場合、構成部品の以下の配置が可能である。
−  全ての構成部品は、ボール・グリッド・アレイ・パッケージに配置される。
−  全ての構成部品は、ＭＣＭパッケージに配置される。
−  全ての構成部品は、チップとして配置される。
−  全ての構成部品は、ＳＭＤ要素として配置される。
−  構成部品の１つ若しくは複数又はゼロ個が１つ又は複数のＢＧＡハウジングに配置され、他の構成部品の１つ若しくは複数又はゼロ個が１つ又は複数のＭＣＭハウジングに配置され、他の構成部品の１つ若しくは複数又はゼロ個がチップとして配置され、他の構成部品の１つ若しくは複数又はゼロ個がＳＭＤ要素として配置される。
【００５５】
基板が２つの側を占める場合には、上述の配置は、基板の両側に実現され得る。
【００５６】
複数の構成部品の一部が基板の片側に並んで又は重なり合って配置され、チップ／構成部品が基板にそれぞれ接合され、構成部品がポッティング剤で封じ込められることが与えられてもよい。基板へのチップ／構成部品の接続は、ワイヤ・ボンド、フリップ・チップ・バンプ、又はフリップ・チップ・ハンダ・ボール接続の形態にあってもよい。ポッティング剤は、基板を部分的に覆うことができる。一実施例では、ポッティング剤は、基板の縁部に沿って延びてもよい。好ましくは、ポッティング剤は、構成部品を配置する基板の側部を完全に覆う。
【００５７】
基板として働くパネル上で、構成部品は、各グリッド・セルが電子機器モジュールに必要な全てのユニット／チップを有するようにグリッド状に配置されてもよい。各チップ／構成部品は、電気接続を行うように基板に接合される。次いで、パネルは、ポッティング剤で封じ込められる（オーバーモールド）。パネルがポッティング剤で覆われた後、個々の電子機器モジュールは、パネルから切断される。有利には、パネル上のポッティング・エリアの長さは、電子機器モジュールの長さの整数倍であり、及び／又はパネル上のポッティング領域の幅は、電子機器モジュールの幅の整数倍である。これにより、パネルのポッティング・エリアが最適に使用される。パネル／基板の別の側では、さらなる構成部品が、例えば、チップに及び／又はボール・グリッド・アレイ・パッケージにＳＭＤ要素として配置されてもよい。
【００５８】
エネルギー貯蔵部用の接続接触（ｃｏｎｎｅｃｔｉｏｎ  ｃｏｎｔａｃｔ）のための穴、及び／又はフィードスルー用のさらなる接続接触のための穴が、ポッティング剤に形成されてもよい。
【００５９】
電子機器モジュールは、マルチチップ・モジュールとして形成されてもよい。マルチチップ・モジュール（ＭＣＭ）は、ワン・チップのように外側から見え、やはり機能し、ワン・チップのように使用される共通のパッケージ内で平面状に（並んで）又は重なり合って収容される複数の個々のマイクロチップからなる。
【００６０】
電極接続デバイスへのフィードスルーは、
−  電子機器モジュールの集積構成部品、
−  電子機器モジュール上のＳＭＤ構成部品、又は
−  電子機器モジュール上のプラグ・イン接続
として形成されてもよい。
【００６１】
別の態様によれば、電子機器モジュール及び電子部品を有する植込み型器具であって、電子機器モジュールと電子部品の間の電気接続が、ストレートのプラグ・イン接続（ｓｔｒａｉｇｈｔ  ｐｌｕｇ−ｉｎ  ｃｏｎｎｅｃｔｉｏｎ）によって形成される、植込み型器具が提供される。
【００６２】
植込み型器具は、さらなる電子部品を有してもよく、電子機器モジュールとさらなる電子部品の間の電気接続が、さらなるストレートのプラグ・イン接続によって形成され、ストレートのプラグ・イン接続及びさらなるストレートのプラグ・イン接続が、同じ方向に向けられる。ストレートのプラグ・イン接続のためにここに開示された特徴は、さらなるストレートのプラグ・イン接続に類似的に当てはまる。同様に、電子部品の説明は、さらなる電子部品に類似的に当てはまる。
【００６３】
電気接続は、電子部品の１つの接触ピン（又は複数の接触ピン）が電子機器モジュールの雄コネクタ・ソケットの中に直接又はそれを通じて差し込みできるようにプラグ・イン接触として全体的に又は部分的に設計されてもよい。ストレートのプラグ・イン接続は、アダプタ（例えば、配線ストリップ（ｗｉｒｉｎｇ  ｓｔｒｉｐ））がなく、さらに、ピンの屈曲は必要ない。
【００６４】
電子部品又はさらなる電子部品は、フィードスルー又はエネルギー貯蔵部であり得る。複数の電子部品が用意されてもよく、電子機器モジュールへの電気接続は、電子部品ごとにストレートのプラグ・イン接続で形成される。電子機器モジュール及び電子部品は、パッケージ内に配置されてもよい。
【００６５】
一実施例では、さらなる電子機器モジュールは、電子機器モジュール上に配置されてもよい。さらなる電子機器モジュールは、ストレートのプラグ・イン接続によって電子機器モジュールに接続されてもよい。複数の電子機器モジュールのスタックが形成されてもよく、複数の電子機器モジュールは、ストレートのプラグ・イン接続によって互いにそれぞれ接続される。
【００６６】
電子部品は真っすぐなピン要素を有することができ、電子機器モジュールはピン・ソケットを有し、ピン要素は電気接続を形成するためにピン・ソケット内に配置される。
【００６７】
代替として、電子モジュールは真っすぐなピン要素を有してもよく、電子部品はピン・ソケットを有し、ピン要素は電気接続を形成するためにピン・ソケット内に配置される。
【００６８】
上述したように、真っすぐなピン要素は、複数のピンを有することができる。複数のピンは、互いに平行に配置することができる。この場合には、複数のピン・ソケットが設けられ、各複数のピンは、複数のピン・ソケットの別個の１つに関連付けられている。
【００６９】
ピン・ソケットは、リング状であってよい。ピン・ソケットは、ディスクとして具体化されてもよい。ピン・ソケットは、電子機器モジュールに又は電子部品にハンダ付けされてもよい。ピン要素は、ピン・ソケットに溶接されてもよい。
【００７０】
ピン・ソケットは、以下の固着法、すなわち、ハンダ付け、接着、埋め込み、クランピング、及び圧着のうちの１つを用いて電子機器モジュールに固着することができる。圧着は、２つの構成部品が塑性変形によって、例えば、フランジング、絞り、リップリング、又は折り畳みによって一緒につなげられるつなぎプロセスを意味すると理解される。埋め込みにおいて、ピン・ソケットの一部は、電子機器モジュールの材料によって取り囲まれる。
【００７１】
ピン・ソケットは、以下の固着法、すなわち、ハンダ付け、接着、埋め込み、クランピング、及び圧着のうちの１つを用いて電子部品に固着することができる。
【００７２】
ピン要素はばね要素を有することが与えられてもよい。
【００７３】
電子部品は、エネルギー貯蔵部、フィードスルー、又はコンデンサであってもよい。さらに、電子部品は、高電圧コンデンサ又はコンデンサ・スタックとして具体化されてもよい。一実施例では、電子部品はエネルギー貯蔵部であり、さらなる電子部品はフィードスルーである。
【００７４】
プラグ・イン接続は、取り外し可能な接続として、例えば、プラグ・イン接続として形成されてもよい。
【００７５】
プラグ・イン接続は、取り外し不可能な接続として、例えば、溶接式接続又はハンダ付け式接続として形成されてもよい。
【００７６】
電気接続は、以下の接続タイプ、すなわち、ばね接点、絶縁変位接点、ハンダ接点、溶接接点、圧入、及び粘着剤から選択される接続で形成することができる。導電性粘着剤が、粘着剤接続のために使用されてもよい。
【００７７】
プラグ・イン接続は、電気接続を妨げることなく電子部品と電子機器モジュールの間の相対移動を補償するように設計され得る。例えば、ピン要素は、電子機器モジュールに対する電子部品の相対移動を補償するために十分に長く及び可撓性であり得る。代替として、又はさらに、雄コネクタ・ソケットは、十分に可撓性であってもよく、及び／又は電子機器モジュールに対する電子部品の相対移動を補償するために十分に可撓性のやり方で取り付けられる。例えば、ピン要素は、ピン・ソケットの高さよりも大きい長さを有してもよい。この場合には、ピン要素は、挿入された状態でピン・ソケットを越えて突出し、それによって、ピン要素の方向に沿った移動は、ある範囲内で補償され得る。
【００７８】
さらに別の態様によれば、植込み型器具の電子機器モジュールと電子部品の間の電気接続を製造する方法であって、電子部品及び電子機器モジュールは、相対移動で互いに向かって移動させられ、電気接続は、電子部品と電子機器モジュールの間にストレートのプラグ・イン接続が形成される、方法が提供される。相対移動は、直線相対移動であり得る。これにより、植込み型器具を組み立てるための自動化プロセスの実施を容易にする。
【００７９】
プラグ・イン接続は、信頼性を増大させるために冗長接続として設計され得る。
【００８０】
さらに別の態様によれば、ハウジングを閉じるカバーが電極接続デバイス上に形成されている電極接続デバイス及びハウジングを有する植込み型器具が開示される。
【００８１】
カバーは、ハウジングに溶接され得る。フランジがカバー上に形成されることが与えられてもよい。フランジは、カバーの周囲に沿って部分的に又は完全に延びることができる。
【００８２】
溶接保護デバイスが、例えば部分的又は完全な周方向のビーディングの形態で、カバー上に形成されてもよい。
【００８３】
代替として、カバーは、プラグ・イン接続、ばね接続、又はクランプ接続によってハウジングに固着されてもよい。
【００８４】
カバーは、生体適合材料、例えばチタンから形成されてもよい。
【００８５】
カバー及びハウジングが、同じ材料（例えば、チタン）から形成されてもよい。
【００８６】
フィードスルーが、カバーに形成されてもよく、フィードスルーは、ハウジングに配置される電極接続デバイスと電子機器モジュールの間に電気接続を形成する。
【００８７】
フィードスルーは、プラグ・イン接続によって又はばね接点によって電子機器モジュールに電気的に接続することができる。
【００８８】
電極接続デバイスは、予め組み立てられた組立体を有することができる。組立体は、以下の構成部品、すなわち、雄コネクタのための継続的受け入れ手段と、受け入れ手段の前部に配置される第１の接続要素であって、少なくとも２つの平らな側面を有する第１の接続要素と、受け入れ手段の後領域に配置される第２の接続要素であって、少なくとも２つの平らな側面を有する第２の接続要素とを有することができる。
【００８９】
さらなる態様によれば、植込み型器具の電極接続デバイスのための組立体が提供される。組立体は、雄コネクタのための継続的受け入れ手段を有する。受け入れ手段の前領域に配置される第１の接続要素がさらに用意され、第１の接続要素は、少なくとも２つの平らな側面を有する。最後に、第２の接続要素が用意され、受け入れ手段の後領域に配置されており、第２の接続要素は、少なくとも２つの平らな側面を有する。
【００９０】
本明細書に開示された組立体を有する植込み型器具のための電極接続デバイスがさらに提供される。
【００９１】
本開示は、電極接続デバイスと組立体とを有する植込み型器具をさらに有する。
【００９２】
平らな側面は、少なくとも部分的に角のある形状を可能にし、（手動又は自動で）組立体を容易に把持することを可能にする。これにより、製造プロセスの自動化を可能にすることができる。
【００９３】
組立体は、少なくともいくつかのセクションにおいてプラスチック材料によって囲まれてもよい。例えば、組立体は、いくつかのセクションにおいてプラスチック材料によってオーバーモールドされてもよい。プラスチック材料は、熱可塑性物質、例えば、ポリスルホンであり得る。生体適合性の注型用樹脂を使用することもできる。プラスチック材料は、組立体にさらなる安定性をもたらすことができる。これによって、予め作られた構成部品として組立体を製造することが可能であり、続いて、これは、植込み型器具の電極接続デバイスの中に処理される。
【００９４】
第１の接続要素の接続領域は、プラスチック材料がなくてもよい。代替として、又はさらに、第２の接続要素の接続領域は、プラスチック材料がなくてもよい。
【００９５】
第１の接続要素の接続領域に接続するための第１の導体用の第１のガイドがプラスチック材料に形成されてもよく、及び／又は第２の接続要素の接続領域に接続するための第２の導体用の第２のガイドがプラスチック材料に形成されてもよい。
【００９６】
第１のガイドは、第１の接続要素の接続領域に隣接して形成されてもよく、及び／又は第２のガイドは、第２の接続要素の接続領域に隣接して形成されてもよい。
【００９７】
第１の導体（第２の導体）は、植込み型器具への受け入れ手段の中に挿入される雄コネクタの接続を可能にするために、第１の接続要素（第２の接続要素）の接続領域に接続されてもよい。第１の接続要素の接続領域、及び／又は第２の接続要素の接続領域は、平面要素として具体化されてもよい。第１の接続要素の接続領域、及び／又は第２の接続要素の接続領域は、円形であってもよく、例えば、１から５ｍｍの直径を有する。これは、第１の導体又は第２の導体を固着するために大きい溶接エリアを与える。一実施例では、第１のガイドと第２のガイドの両方は、それらのそれぞれの接続領域に隣接して形成される。ガイドは、短絡を引き起こすことなく、導体がそれらのそれぞれの接続領域に接続されることを可能にする。
【００９８】
第１の接続要素及び第２の接続要素は、互いにずらして配置されることが与えられてもよい。言い換えれば、第１の接続要素及び第２の接続要素は、２つの異なるレベルにある。異なる配置により、導体が互いに接触することなく接続要素に導体を接続することをより容易にさせる。
【００９９】
一実施例では、組立体は、アンテナを有してもよく、アンテナは、第１の接続要素と第２の接続要素の間に形成された中間領域内にＵ形構成を有する。中間領域は、隣接した接続要素よりも狭くてもよい。このようにして、アンテナのＵ形構成と共に、自動グリッパのための把持用凹部が形成される。
【０１００】
位置決め手段が、受け入れ手段の後端に形成されてもよい。位置決め手段は、角のある構造として形成することができ、例えば、受け入れ装置に対して直角を成し得る。位置決め手段は、プラスチック材料から形成されてもよく、例えば、組立体のプラスチック材料コーティングを有する１部品に形成されてもよい。位置決め手段は、組立体の方向付けを助けるために、ソケットに組立体を配置するときに、植込み型器具のハウジングに配置されてもよい。位置決め手段は、先細り端を有してもよい。
【０１０１】
組立体は、さらなる雄コネクタのためのさらなる受け入れ手段を有してもよく、第３の接続要素は、さらなる受け入れ手段の前領域内に配置され、第４の接続要素は、さらなる受け入れ手段の後領域内に配置される。さらなる受け入れ手段のために、ここに開示された説明は、受け入れ手段に類似的に当てはまる。さらに、第１の接続要素及び第２の接続要素のための説明は、第３の接続要素及び第４の接続要素に類似的に当てはまる。
【０１０２】
さらなる態様によれば、植込み型器具上に電極接続デバイスを形成する方法が開示される。この方法は、
−  組立体を用意するステップであって、
−  雄コネクタのための継続的受け入れ手段、
−  受け入れ手段の前領域内に配置され、少なくとも２つの平らな側面を有する第１の接続要素、
−  受け入れ手段の後領域内に配置され、少なくとも２つの平らな側面を有する第２の接続要素
を有する組立体を用意するステップと、
−  受け入れ手段にばね要素を配置及び固定するステップと、
−  ポッティング助剤（ｐｏｔｔｉｎｇ  ａｉｄ）を用いて受け入れ手段の開口部を閉じるステップと、
−  第１の導体を第１の接続要素に固着するステップと、
−  第２の導体を第２の接続要素に固着するステップと、
−  植込み型器具のハウジング上に組立体を配置するステップと、
−  第１の導体をハウジング上に形成されたフィードスルーに接続するステップと、
−  第２の導体をフィードスルーに接続するステップと、
−  鋳型内にハウジングを有する組立体を配置するステップと、
−  鋳型を合成樹脂で充填するステップと、
−  樹脂が硬化した後に、ポッティング助剤を取り除くステップとを含む。
【０１０３】
方法は、植込み型器具のカバー上に電極接続デバイスを形成するために使用することもできる。
【０１０４】
方法は、以下のさらなるステップ、すなわち、
−  アンテナを組立体に配置及び固着するステップと、
−  アンテナをフィードスルーに接続するステップとを含んでもよく、
これらのさらなるステップは、組立体がハウジング上に配置される前に実施される。
【０１０５】
さらに、例えば研削及び／又は研磨によって硬化後に任意の突き出ている樹脂を除去することが与えられてもよい。
【０１０６】
鋳型は、シリコーンの鋳型であってもよい。
【０１０７】
フィードスルーは、導体及び／又はアンテナを接続するために１つ又は複数のプラグ・イン接触（例えば、ピン）を有してもよい。
【０１０８】
合成樹脂は、エポキシ樹脂であってもよい。エポキシ樹脂は、エポキシ基を保持する合成樹脂である。エポキシ樹脂は、熱硬化性のプラスチック材料を形成するために、硬化促進剤、及び必要であれば、他の添加剤と反応させられ得る硬化性樹脂（反応性樹脂）である。エポキシ樹脂は、２つの末端エポキシ基を有するポリエーテルである。硬化剤は、反応相手であり、樹脂を共に、高分子のプラスチック材料を形成する。
【０１０９】
合成樹脂は、植込み型器具のハウジング又は植込み型器具のカバーに直接粘着することができるため、さらなる粘着剤は必要とされない。言い換えれば、硬化される樹脂と植込み型器具のハウジング／カバーとの間の接触エリアは、粘着剤がなくてもよい。
【０１１０】
電極接続デバイスは、植込み型心臓ペースメーカ又は植込み型心臓除細動器（ＩＣＤ）のためのヘッダであり得る。この場合には、電極接続デバイスは、１つ又は複数の電極リード線を植込み型器具に電気的に接続するために使用される。
【０１１１】
アンテナ、充電コイル、Ｘ線マーカ、通信コイル、及び／又はカラー・マーカが、電極接続デバイスに配置されてもよい。
【０１１２】
別の態様は、植込み型器具を製造する方法であって、ハウジングを用意するステップと、カバーがハウジングを閉じるために電極接続デバイス上に形成される電極接続デバイスを用意するステップと、ハウジング上にカバーを配置するステップと、カバーをハウジングに接続するステップとを有する、方法に関する。カバーとハウジングの間の接続は、例えば溶接によって、材料接続として形成されてもよい。
【０１１３】
電極接続デバイスのための植込み型器具及び組立体に関する本明細書に開示された態様、並びに方法に関する態様は、植込み型器具又は方法の異なる実施例を実現するように任意のやり方で互いに組み合わされてもよい。さらに、植込み型器具及び組立体に関する説明は、方法に類似的に当てはまり、逆も同じである。
【０１１４】
例示的な実施例が、下記図面を参照して以下により詳細に説明される。
【図面の簡単な説明】
【０１１５】
【図１】先行技術による植込み型器具の概略図である。
【図２】本発明による植込み型器具の一実施例の分解組立図である。
【図３】図２による植込み型器具の一部の斜視図である。
【図４】植込み型器具の側面図である。
【図５】電子機器モジュールの詳細図である。
【図６】電子機器モジュールのさらなる詳細を示す図である。
【図７】本発明による植込み型器具のブロック図である。
【図８】電子機器モジュールの側面図（図８の上側イメージ）、電子機器モジュールの下からの図（図８の中央のイメージ）、及び電子機器モジュールの上からの図（図８の下側イメージ）である。
【図９】電子機器モジュールの上面の斜視図（図９の上側イメージ）、及び電子機器モジュールの下側の斜視図（図９の下側のイメージ）である。
【図１０Ａ】電子機器モジュールのための製造プロセスを示す図である。
【図１０Ｂ】電子機器モジュールのための製造プロセスを示す図である。
【図１０Ｃ】電子機器モジュールのための製造プロセスを示す図である。
【図１０Ｄ】電子機器モジュールのための製造プロセスを示す図である。
【図１０Ｅ】電子機器モジュールのための製造プロセスを示す図である。
【図１１】電極接続デバイスのための組立体の一実施例の斜視図である。
【図１２】図１１による組立体の正面図（図１２の上側のイメージ）、及び背面図（図１２の下側のイメージ）である。
【図１３】ポッティング助剤を備えた図１１及び図１２による組立体を示す図である。
【図１４】アンテナ及び導体を備えた図１１から図１３による組立体を示す図である。
【図１５】ハウジング上に配置された図１１から図１４による組立体を示す図である。
【図１６】（ポッティング助剤を用いて）完全にポッティングされた図１１から図１５による組立体を示す図である。
【図１７】（ポッティング助剤なしで）にポッティングされた図１１から図１５による組立体を示す図である。
【図１８】本発明による植込み型器具の別の実施例を示す図である。
【発明を実施するための形態】
【０１１６】
図２は、本発明による植込み型器具の一実施例を示す。植込み型器具は、第１のハウジング・シェル６０ａ及び第２のハウジング・シェル６０ｂを備えた２部品ハウジング６０を有する。電子機器モジュール６１及びエネルギー貯蔵部６２（例えば、バッテリ）は、ハウジング６０に配置される。エネルギー貯蔵部６２は、絶縁カバー６４によってハウジング６０から電気的に絶縁される。電子機器モジュール６１は、エネルギー貯蔵部６２の前側６８に配置される。第１のピン要素は、エネルギー貯蔵部６２の前側６８に配置され、互いに平行に向けられた２つのピン６６ａ、６６ｂを有する。２つのリング状ピン・ソケット６７ａ、６７ｂを有すると共に、電子機器モジュール６１上に配置された第１のピン・ソケットは、第１のピン要素に関連している。第１のピン要素６６ａ、６６ｂ及び第１のピン・ソケット６７ａ、６７ｂによって、電気接続が、エネルギー貯蔵部６２と電子機器モジュール６１の間に形成される。電子機器モジュール６１は、フィードスルー６５に接続される。接続の詳細は、以下により深く説明される。電極接続デバイス６３は、ハウジング６０上に配置され、フィードスルー６５によって電子機器モジュール６１に接続される。
【０１１７】
フィードスルー６５、電子機器モジュール６１、及びエネルギー貯蔵部６２は、軸に沿って（ここではｚ方向に沿って）組み立てられる。軸の方向は、フィードスルー６５と電子機器モジュール６１の間の電気接続、及び電子機器モジュール６１とエネルギー貯蔵部６２の間の電気接続の方向によって決定される。
【０１１８】
図示された実施例では、電子機器モジュール６１は、エネルギー貯蔵部６２の前側６８に平行に配置される。このタイプの配置は、ハウジング内の空間をとても効率よく使用する。電子機器モジュール６１は、エネルギー貯蔵部６２の前側６８へ差し込まれてもよく、及び／又は前側６８に接着剤で付けられてもよい。
【０１１９】
図３では、植込み型器具の要素が、部分的に組み立てられている。電子機器モジュール６１は、エネルギー貯蔵部６２上に装着される。さらに、フィードスルー６５は、電子機器モジュール６１に接続される。電子機器モジュール６１を備えた（絶縁カバー６４内の）エネルギー貯蔵部６２は、第２のハウジング・シェル６０ｂ内に配置される。次のステップでは、第１のハウジング・シェル６０ａは、第２のハウジング・シェル６０ｂ上に配置され、ハウジング・シェル６０ａ、６０ｂは、一緒につなげられる、例えば、溶接される（図示せず）。続いて、電極接続デバイス６３は、ハウジング６０に置かれ、フィードスルー６５（図示せず）に接続される。
【０１２０】
図４は、図２の植込み型器具に実質的に対応する植込み型器具の側面図を示す。したがって、同じ要素は、同じ参照符号を用いて示される。図４による実施例では、電子機器モジュール６１は、支持フレーム６９内に配置される。支持フレーム６９は、エネルギー貯蔵部６２の前側に配置される。支持フレーム６９は、ハウジング６０内でエネルギー貯蔵部６２を中心に置くように働き、ハウジング基部にそれを押し付ける。これは、振動並びに圧縮力及び張力の伝達を防ぐ。このようにして、支持フレーム６９は、電子機器モジュール６１上の構成部品、及びエネルギー貯蔵部６２と電子機器モジュール６１の間の電気接続を、電気接点の破壊及び／又は損失から保護する。
【０１２１】
電子機器モジュール６１の細部が、図５に示されている（図５の下部は、上部の拡大細部を示す）。フィードスルー６５は、複数のピン７０を備えた多極フィードスルーとして形成される。図示した実施例では、５つのピン７０が、フィードスルー６５上に形成されるが、異なる個数のピンも可能である。各ピン７０は、ピン・ソケット７１に挿入されて、フィードスルー６５によって電子機器モジュール６１と電極接続デバイス６３の間に電気接続を形成する。
【０１２２】
電子機器モジュールの別の細部が、エネルギー貯蔵部６２の細部と共に、図６に示されている。第１のピン要素６６ａ、６６ｂ（例えば、バッテリの陽極及び陰極）は、エネルギー貯蔵部上に形成される。第１のピン・ソケット６７ａ、６７ｂは、電子機器モジュール６１上に配置される。電子機器モジュール６１は、第１のピン要素６６ａ、６６ｂを第１のピン・ソケット６７ａ、６７ｂに挿入することによりストレートのプラグ・イン接続によってエネルギー貯蔵部６２に電気的に接続される。接続は、例えば各ケース内の第１のピン・ソケット６７ａ、６７ｂが、上下に配置された２つのピン・ソケット（上下に配置された２つのリング）（図示せず）を備えるといった点で、冗長接続として具体化することができる。
【０１２３】
電子機器モジュール６１とエネルギー貯蔵部６２の間の電気接続は、以下の技術を用いて実現することができ、すなわち、
−  レーザ溶接を用いて円筒形と共に内腔として（図６参照）、
−  プラグ・イン接続におけるばね接点として、及び
−  抵抗溶接を用いて電子機器モジュール上の角度として
実現することができる。
【０１２４】
フィードスルー６５のピン７０、及び第１のピン要素６６ａ、６６ｂは、同じ方向（接触方向）を指し、これは、要素についての組立方向を決定する。
【０１２５】
ＳＭＤ構成部品７２は、電子機器モジュールの後側に配置される（図８及び図９参照）。
【０１２６】
図７は、植込み型器具のブロック図を示す。電子機器モジュールの機能は、フレーム８０によって囲まれ、電子機器モジュール上のユニット／チップとして実現され、以下により詳細に説明される。
【０１２７】
無線送受信機８１は、アンテナ８２に結合される。無線送受信機８１は、外部装置、具体的には、プログラミング・デバイスと通信するために使用される。ここで、 例えば、植込み型器具の測定値及び／又はパラメータが、プログラミング・デバイスへ送信され得る。植込み型器具についての変更されたパラメータは、プログラミング・デバイスから受信することもできる。
【０１２８】
電子機器モジュールは、制御ユニット８３（コントローラ）をさらに有する。制御ユニット８３は、プロセッサ、例えば、デジタル・シグナル・プロセッサ（ＤＳＰ：Ｄｉｇｉｔａｌ  Ｓｉｇｎａｌ  Ｐｒｏｃｅｓｓｏｒ）、ＲＡＭ（ランダム・アクセス・メモリ）及び／又はＲＯＭ（リード・オンリ・メモリ）などのメモリ、及びタイマーを有する。さらなる機能として、メモリ・アクセス、例えば、ＤＭＡ（ダイレクト・メモリ・アクセス（Ｄｉｒｅｃｔ  Ｍｅｍｏｒｙ  Ａｃｃｅｓｓ））、及び／又はＭＡＣ（メディア・アクセス制御（ｍｅｄｉａ  ａｃｃｅｓｓ  ｃｏｎｔｒｏｌ））などのネットワーク機能が、制御ユニット８３に組み込まれてもよい。
【０１２９】
測定ユニット８６（検出ユニット）が、電子機器モジュール上のさらなる構成部品として設けられる。測定ユニット８６は、心臓９１から測定の値をとるように構成される。
【０１３０】
ペースメーカ・ユニット８５（ペーシング・ユニット）は、心臓９１のために刺激パルスを発生させるように構成されている。
【０１３１】
電子機器モジュールは、特に、植込み型器具がＩＣＤといて設計される場合、ショック・ユニット８４（ショック・ユニット）、及びＨＶユニット８７（ＨＶ−高電圧）を任意選択で有してもよい。ショック・ユニット８４は、ＨＶユニット８７を制御するように構成される。ＨＶユニット８７は、例えば、７００〜８００Ｖの電圧で、ショック（除細動）を送り届けるように構成されている。
【０１３２】
ＥＭＣ（電磁両立性（ＥｌｅｃｔｒｏＭａｇｎｅｔｉｃ  Ｃｏｍｐａｔｉｂｉｌｉｔｙ））ユニット８８が設けられ、電磁場の影響を最小にする又は抑制するように設計されている。電磁場は、スプリアス放射、ＨＶユニット８７によって送り届けられるショックの場、ペースメーカ・ユニット８５によって送り届けられる刺激パルスの場、外的ショックの場、外部刺激の場、及び外部の源からの場（例えば、高周波測定）を含んでもよい。ＥＭＣユニット８８は、植込み型器具のハウジング９２に結合される。
【０１３３】
電子機器モジュールは、バッテリ９０に結合される。電子機器モジュールの電源ユニット８９は、スイッチング電源（ＳＭＰＳ：Ｓｗｉｔｃｈｅｄ−Mｏｄｅ  Pｏｗｅｒ  Ｓｕｐｐｌｙ）を有し、パワー・マネジメントのために構成されている。
【０１３４】
電子機器モジュールの機能／ユニットは、電子機器モジュール上に取り付けた様々な集積回路、すなわち、チップにおいて実施される。チップの寸法は、その機能の複雑さからもたらされる。複雑さが高くなると、チップの平面寸法が大きくなる。チップのサイズは、電子機器モジュールのサイズをかなり決定し、（エネルギー貯蔵部に平行な）植込み型器具のその向きもかなり決定する。電子機器モジュールのサイズは、集積されていない受動構成部品、及び電子機器モジュール上の全ての他の接続へのチップの互いに対するチップの電気接続の個数によっても決定される。
【０１３５】
どちらかの治療機能が、ワン・チップ上で互いにモノリシックに統合されてよく、それによって製造プロセス又は電子機器モジュールが収めるチップ個数は、その使用電圧範囲、そのデータ及び信号の複雑さ、並びにそのキャラクタに依存し、すなわち、それらがアナログで時間連続的な挙動、又はデジタルで時間不連続的な挙動、或いはアナログ・デジタル混合信号の挙動を有するかに依存する。原理では、上で挙げられた全ての機能、具体的には、デジタル制御機能、ＥＣＧ（ＥｌｅｃｔｒｏＣａｒｄｉｏＧｒａｍ）信号の増幅及び評価（ＥＣＧ−心電図）のためのアナログ・デジタル混合検出機能、刺激パルス発生のためのペーシング、植込み型器具への最適な電力供給のためのパワー・マネジメント、並びに電圧発生のためのショック及び除細動ショックの制御は、モノリシックに統合されてもよい。しかしながら、最小の構造サイズＦ＝１３０ｎｍ及びＦ＝１８０ｎｍを用いる現在使用されている製造プロセスは、植込み型器具ハウジング内の垂直配置のためにとても大きい寸法を有するチップという結果となり、さらに、そのデータ記憶容量（ＲＡＭ）がとても小さい、又は全ての必要な治療機能及び診断機能を可能にするために別のメモリ・チップで補われなければならない結果となる。現在の植込み型器具については、したがって、電子機器モジュールの機能の一部又は全部は、最小の構造サイズＦ≦９０ｎｍ、好ましくはＦ≦６５ｎｍ又はＦ≦５５ｎｍで製造されるチップで実施される。
【０１３６】
目的の１つは、（先行技術のように）植込み型器具の体積、形状、及びサイズをそれがもはや決定しないように電子機器モジュールを設計することである。この目標のために、以下のルールの少なくとも１つが適用される。
【０１３７】
１．電子機器モジュールは、エネルギー貯蔵部の前側に平行に配置される。
２．電子機器モジュールの長さは、電極接続デバイスの長さ以下である。
３．電子機器モジュールの幅は、エネルギー貯蔵部の幅（又はハウジングの幅）以下である。
４．エネルギー貯蔵部の長さは、電極接続デバイスの長さに等しい（最大体積の利用）。
５．電子機器モジュールの面積は、エネルギー貯蔵部の前側の面積に対応する。
６．電子機器モジュールの体積要求は、エネルギー貯蔵部の体積の１／４未満（又は植込み型器具の金属を包む全体積１／４未満）である。
【０１３８】
これらのルールの１つ又は複数を適用すると、その接続を含む最大縁長さが電子機器モジュールを超えない構成部品が実装されているストリップ状の狭い電子機器モジュールという結果になる。半導体製造における改善された光学イメージング及びリソグラフィ・プロセスは、シリコン面積あたりますます多くの機能性を可能にする。植込み型器具の製造に十分である構成部品の最小の構造サイズは、Ｆ≦９０ｎｍである。これにより、アナログ回路、デジタル回路、アナログ・デジタル混合回路、及び高電圧回路が、ワン・チップ上にモノリシックにますます統合されることを可能になる。これは、電子機器モジュール上のチップの個数及び接続の個数を減少させ、したがって、知られている機能の複雑さを可能にするために現在狭いストリップ状モジュールのより小さい利用可能な面積を補償する。
【０１３９】
電子機器モジュール上の集積回路の製造について、少なくとも１つのチップが最小の構造サイズＦ≦９０ｎｍを有するプロセスにおいて製造されるという特徴を有する製造プロセスが選択される。代替として、少なくとも１つのチップは、最小の構造サイズＦ≦６５ｎｍを有するプロセスにおいて製造される。代替として、少なくとも１つのチップは、最小の構造サイズＦ≦６５ｎｍを有するプロセスにおいて製造され、これにその基板に対して≧１０Ｖの電圧が同時に接続されてもよい。代替として、少なくとも１つのチップは、最小の構造サイズＦ≦６５ｎｍを有するプロセスにおいて製造され、これにその基板に対して≧１０Ｖの電圧が同時に接続されてもよく、チップのＳＲＡＭ（スタティック・ランダム・アクセス・メモリ、スタティックＲＡＭ）メモリ機能は、≧３メガビットの容量を有する。
【０１４０】
本明細書に記載されたフォーム・ファクタを有する電子機器モジュールは、具体的にはエネルギー貯蔵部と電極接続デバイスの間で、平らな植込み型器具の断面に取り付けるのに適している。この組立体の位置は、
−  電子機器モジュールの上側及び／又は下側の配線された構成部品について直角接続
−  構成部品の接続、例えばバッテリ接続及び／又はヘッダ接続が上へ又は内部を貫いて差し込まれてもよい内腔
−  切断スリーブ及び／又はクランピング・スリーブを収容するように装着される内腔
の個々に実現され得る又は互いに任意の組合せで実現され得る電子機器モジュールのさらなる特徴という結果になる。
【０１４１】
切断された真っすぐの縁は、電子機器モジュールをボール・グリッド・アレイ・パッケージ（μＢＧＡ：Ｂａｌｌ  Ｇｒｉｄ  Ａｒｒａｙ  Ｐａｃｋａｇｅｓ）についての標準的なパッケージ技法でパネル化された形態で電子機器モジュールの最適な製造も可能にする。μＢＧＡでは、チップは、プリント回路基板の基板（ＰＣＢ基板：Ｐｒｉｎｔｅｄ  Ｃｉｒｃｕｉｔ  Ｂｏａｒｄ  ｓｕｂｓｔｒａｔｅ）上に組み付けられ、接合され、トランスファ・オーバーモールド・プロセスにおいて成形コンパウンドでカバーされる。ハンダ・ボールは、ＳＭＤ組立体についての基板の裏に適用される。パッケージングは、パネル化された状態で行われる。プリント回路基板の基板は、全てのチップ・サイズについて均一のパネル・サイズを常に有し、これは、トランスファ成形機の成形用ツールにのみ依存する。チップ・サイズに応じて、より多くの又はより少ないチップがパネルに装着され、次いで、ハンダ・ボールをポッティング及び装備した後に、その最終的なパッケージサイズでパネルから切断される。
【０１４２】
一実施例では、３つの正方形ポッティング・エリアがあり、それぞれは２０５ｍｍｘ７０ｍｍのパネル上に５６ｍｍの縁長さを有し、その中にチップが組み付けられ、ワイヤ・ボンドされる（図１０Ａ及び図１０Ｂ参照）。このμＢＧＡパッケージング・プロセスを電子機器モジュールに適用することにより、図１０Ａから図１０Ｅに示されるパッケージング・プロセスのさらなる特徴及び広がりがもたらされる。トランスファ・モールドの後に、切断スリーブ及び／又はクランピング・スリーブの穴又はフィットが穴開けされる（図１０Ｃ参照）。ポッティングは、チップをカバーする働きをするだけでなく、それは、電子機器モジュールの、具体的には、結果として得られるプラグ・イン接続の機械的安定性の一部でもある。ハンダ・ボールの代わりに、パネルは、パネル化された形態で電子機器モジュールのＳＭＤ構成部品が実装される（図１０Ｄ参照）。電子機器モジュールの縁長さは、切断損失を差し引いたパネルのポッティング面縁（ｐｏｔｔｉｎｇ  ｓｕｒｆａｃｅ  ｅｄｇｅ）の整数のディバイダ比（ｉｎｔｅｇｅｒ  ｄｉｖｉｄｅｒ  ｒａｔｉｏ）を満たす。電子機器モジュールの構成部品は、ＡＳＩＣ（特定用途向け集積回路）として設けられてもよい。
【０１４３】
製造ステップのいくつかは、以下に要約される。
−  図１０Ａ：パネル化した形態におけるＡＳＩＣ１０１は、パネル１００第１の側（前側）に組み付け及び接合される。
−  図１０Ｂ：ポッティング剤１０２を備えた組み付けられたＡＳＩＣ１０１をトランスファ・オーバーモールドする。
−  図１０Ｃ：エネルギー貯蔵部の接続について穴１０３の穴開けをする。
−  図１０Ｄ：ＳＭＤ構成部品１０４でパネル１００の第２の側（後側）を実装する。
−  図１０Ｅ：完成した電子機器モジュールをスイング・アウトする。
【０１４４】
図１１から図１７は、植込み型器具上で電極接続デバイス（ヘッダ）を組み付ける個々のステップを示す。ステップは、以下により詳細に説明される。
【０１４５】
図１１は、雄電極コネクタのための第１の受け入れ手段２とさらなる雄電極コネクタのための第２の受け入れ手段１３とを備える組立体１（ヘッダ・コアとも呼ばれる）を示す。第１の受け入れ手段２は前開口部６を有し、これを通じて雄電極コネクタが挿入可能である。第１の受け入れ手段２は第１の部分３、第２の部分４、及び第３の部分５を有する。第１の部分３の直径は、第２の部分４の直径よりも大きい。第２の部分４の直径は、第３の部分５の直径よりも大きい。言い換えれば、第１の受け入れ手段２は、前開口部６から端に向かって徐々に先細りになっている。 
【０１４６】
第１の接続要素は第１の部分３と第２の部分４の間に（すなわち、第１の受け入れ手段２の前領域に）形成される。第２の接続要素８は、第２の部分４と第３の部分５の間に（第１の受け入れ手段２の後領域に）形成される。第１の接続要素７と第２の接続要素８の両方は、少なくとも２つの平らな側面を有する。これにより、組立中に組立体１の簡単な把持を可能にし、組立体ステップの自動化を可能にする。図示した実施例では、第１の接続要素７及び第２の接続要素８は、実質的に立方形形状である。第２の接続要素８は、斜めの縁１７を有し、これにより材料を節約し、エポキシ樹脂の流れの方向を観察する働きをする。凹部１２ａは、第１の接続要素７の後側でコーティングするプラスチック材料に形成される。後開口部１２ｂは、第２の接続要素８の後側に形成される。
【０１４７】
組立体は、プラスチック材料１１に部分的に囲まれる。図示した実施例では、組立体は、ポリスルホンで部分的にオーバーモールドされる。第１の接触面９及び第２の接触面１０のための凹部は、プラスチック材料１１に形成される。第１の接触面及び第２の接触面は、円形面として形成される。ガイド１６は、第１の接触面９及び第２の接触面１０のそれぞれに隣接して形成される。ガイド１６は、接続要素（例えば、配線ストリップ）を受け入れるように働く。接触面上のガイドは、異なる接触面からの接続要素が互いに触れるのを防ぐ。
【０１４８】
第２の受け入れ手段１３は、第１の受け入れ手段２と同様に構築される。明確にするために、第２の受け入れ手段の構成部品（開口部、３つの階段状の先細り部分、及び２つの接続要素）は、参照符号を備えていない。第２の受け入れ手段も、接続のために２つの接触面（第３の接触面１４及び第４の接触面１５）を有する。ガイドは、接触面に隣接して再び形成される。
【０１４９】
位置決め手段１８ｂは第２の受け入れ手段の一端に形成され、尖端を有するピンとして具体化される。ハウジング２９（図１５参照）上に組立体１を組み立てるとき、位置決め手段１８ｂの尖端は、ハウジング上で組立体の正確にフィットする配置を容易にするために、ハウジングのソケットに挿入され得る。しかしながら、組立体は、位置決め手段１８ｂなしで具体化することもできる。
【０１５０】
ピン１８ａの位置決めは、組立体の上側に形成される（図１２参照）。組立体が植込み型器具のハウジング上に配置されるときに、位置決めピンが、関連したソケット内に配置され得る。図示した実施例では、２つの位置決めピンが示されるが、他の個数の位置決めピンが可能である。
【０１５１】
第１の受け入れ手段２及び第２の受け入れ手段１３は、ばねスリーブと、雄コネクタ・ソケットとをそれぞれ有する。第１の受け入れ手段２及び第２の受け入れ手段１３は、ＩＳ−１コネクタとして設計され得る。
【０１５２】
ばね要素２０は、第１の受け入れ手段２に配置され、そこに固着される（図１３の左側）。プラスチック材料における凹部１２ａは、抵抗溶接によって第１の受け入れ手段２に配置されたばね要素２０を第１の接続要素７の中に溶接するために使用される。同様に、別のばね要素は、第２の受け入れ手段１３（図示せず）に配置及び固着される。次いで、組立体１の開口部は閉じられ、ポッティング助剤２１、２２、２３（図１３の右側）で封止される。
【０１５３】
さらなる組立体ステップが、図１４に示されている。ワイヤ・ストリップ２４が、第３の接触面１４に固着（例えば、溶接）される。その後端において、ワイヤ・ストリップ２４は、フィードスルー３０のピン接点に接続可能であるワイヤ・ストリップ接続２５（図４参照）を有し、例えば、ピン接点の上へ差し込まれてもよい。さらなるワイヤ・ストリップは、他の接触面９、１０、１５に接続される。
【０１５４】
アンテナ２６は、組立体１に取り付けられる。アンテナ２６は、第１の受け入れ手段２の第１の部分３に部分的に囲まれ、そこにクリップ留めされる。第１の接続要素７と第２の接続要素８の間の領域では、アンテナ２６は、Ｕ形部分２７を有する。これは、組立体を保持及び輸送するために、例えば、自動グリッパと共に使用することができる把持凹部を形成する。アンテナ接続２８は、フィードスルー３０へ接続するためにアンテナの後端に形成される。
【０１５５】
次いで、ワイヤ・ストリップ及びアンテナを備えた組立体は、鋳型（例えば、シリコーン鋳型）（図示せず）に置かれる。ワイヤ・ストリップ接続及びアンテナ接続２８は、フィードスルー３０の関連したピンに置かれ、ピンに接続される（例えば、溶接される）。鋳型は閉じられ、合成樹脂３１（例えば、エポキシ樹脂）で充填される。これは、電極接続デバイスを形成する（図１６参照）。
【０１５６】
例えば研削及び／又は研磨によって、ポッティング助剤２１、２２、２３が取り除かれると共に、外面上の任意の過度の樹脂が取り除かれる。ここで、電極接続デバイスを備えた植込み型器具が完全に組み立てられる（図１７）。
【０１５７】
図１８は、植込み型器具の別の実施例を示す。電極接続デバイス５３は、カバー１２１に取り付けられる。エネルギー貯蔵部６２は、ハウジング１２０に受け入れられる。ハウジング１２０は、深絞りモールド部分として設けられてもよい。カバー１２１は、ハウジング１２０を閉じるように周方向溶接継ぎ目１２２に沿ってハウジング１２０に溶接される。支持フレーム６９は、エネルギー貯蔵部上に配置される。支持フレーム６９は、電子機器モジュールを受け入れる。電極接続デバイス５３は、例えば、図１１から図１７に示された実施例により形成されてもよい。ピン７０を備えたフィードスルー６５は、カバー１２１の中に溶接される。
【０１５８】
本明細書中に開示された植込み型器具及び方法の実施例は、以下の利点を有し得る。
【０１５９】
電子的な植込み型器具の内部構造は、かなり簡略化されており、したがって、製造コストを下げる。同様に、必要な製造プロセスの回数及び複雑さが減少し、したがって製造の拡張性を助ける（例えば、他の位置への簡略化された伝達、従業員のトレーニングの必要性の減少、必要な製造環境及び伴うエンジニアリングの要件の減少）。さらに、取り外し可能なつなぎの技術が使用されるとき、手直しが可能になり、又は簡略化される。
【０１６０】
電子機器モジュールのフォーム・ファクタに関しては、植込み型器具は、より小さく作製することができ、又は得られる体積はバッテリ容量を増加させ、したがって植込み型器具の耐用年数を延ばすために使用することもできる。μＢＧＡ技術における電子機器モジュールの製造は、パネルに関する有用性の増加、及び関連した製品コスト削減を可能にする。（エネルギー貯蔵部の前側に平行な）電子機器モジュールの垂直組立体は、角度なしで電気接続を可能にし、したがって、１軸における自動製造に最適化されたより簡単でより経済的な植込み型器具を可能にする。
【０１６１】
明細書に開示された特徴、特許請求の範囲、及び図面は、個々に及び互いの任意の組合せの両方で、実施例の実現ために関連し得る。
【図１】
2021532895.tif 000003
【図２】
2021532895.tif 000004
【図３】
2021532895.tif 000005
【図４】
2021532895.tif 000006
【図５】
2021532895.tif 000007
【図６】
2021532895.tif 000008
【図７】
2021532895.tif 000009
【図８】
2021532895.tif 000010
【図９】
2021532895.tif 000011
【図１０Ａ】
2021532895.tif 000012
【図１０Ｂ】
2021532895.tif 000013
【図１０Ｃ】
2021532895.tif 000014
【図１０Ｄ】
2021532895.tif 000015
【図１０Ｅ】
2021532895.tif 000016
【図１１】
2021532895.tif 000017
【図１２】
2021532895.tif 000018
【図１３】
2021532895.tif 000019
【図１４】
2021532895.tif 000020
【図１５】
2021532895.tif 000021
【図１６】
2021532895.tif 000022
【図１７】
2021532895.tif 000023
【図１８】
2021532895.tif 000024
【国際調査報告】
2021532895.tif 000025
2021532895.tif 000026
2021532895.tif 000027
2021532895.tif 000028
2021532895.tif 000029